(57)【特許請求の範囲】
【請求項１】
防湿性、耐酸性及びガスバリアー性に優れた多層樹脂フィルムで形成されているボトル型内袋と、このボトル型内袋を収納すると共に強度に優れたフレキシブルコンテナー外袋とを組み合わせて構成された吸湿性、腐蝕性及び高温反応性の強い粉粒体状薬品用の輸送用包装材であって、
上記ボトル型内袋が、ポリ塩化ビニリデン、高密度ポリエチレン又はポリエチレンビニルアルコールから選ばれた防湿性、耐酸性及びガスバリアー性に優れた樹脂フィルム層（Ｂ）を中心にして、この樹脂フィルム層（Ｂ）の内側及び外側に封緘用の樹脂フィルム層（Ｃ）を積層して形成され、
上記ボトル型内袋の内側には、このボトル型内袋と別個に、かつ、略同じ大きさの形状を有し、内部に充填される充填物との間を仕切ってボトル型内袋の変質を防止するポリ塩化ビニル製の内袋変質防止用仕切り袋が重ね合わされていることを特徴とする耐高温反応性に優れた輸送用包装材。
【請求項２】
ボトル型内袋を形成する多層樹脂フィルムの外側に位置する封緘用の樹脂フィルム層（Ｃ）の外側面に補強用の樹脂フィルム層（Ｄ）が貼り合わされている請求項１に記載の耐高温反応性に優れた輸送用包装材。
【請求項３】
多層樹脂フィルムを構成する封緘用の樹脂フィルム層（Ｃ）が低密度ポリエチレンである請求項１又は２に記載の耐高温反応性に優れた輸送用包装材。
【請求項４】
多層樹脂フィルムを構成する補強用の樹脂フィルム層（Ｄ）がＰＥＴ樹脂である請求項２に記載の耐高温反応性に優れた輸送用包装材。
【請求項５】
フレキシブルコンテナー外袋は、上部が開放されていると共に底部にはボトル型内袋及び内袋変質防止用仕切り袋を排出するための排出口用の開口部が形成されている請求項１に記載の耐高温反応性に優れた輸送用包装材。
【発明の詳細な説明】
【０００１】
【発明の属する技術分野】
この発明は、無機塩素化合物及びその無水物等の吸湿性や腐蝕性の強い粉粒体状薬品、その中でも高温反応性の強い粉粒体状薬品の輸送、保管及び搬送に用いられる気密性及び耐薬品性に優れると共に耐高温反応性に優れた輸送用包装材に関する。
【０００２】
【従来の技術】
一般に、工業用原料及び製品である粉粒体状の薬品の輸送には、この粉粒体状薬品の物理的、化学的性質を考慮し、また、その使用する状況に適応させることも配慮し、その上で容器や輸送手段が選択される。
【０００３】
しかしながら、このような粉粒体状薬品には強い吸湿性や腐蝕性を示すものがあり、かかる粉粒体状薬品については、一般に、大気中に開放した状態で放置すると、空気中の水分を吸収して溶解したり（潮解性）、水分の吸収によって主成分が分解し、塩化水素等の腐蝕性ガスの発生と純度の低下を生じる場合があるほか、強い酸性を示して容器や輸送手段に対して腐蝕性を示し、その寿命を低下させる場合がある。
【０００４】
そこで、このような吸湿性や腐蝕性の強い粉粒体状薬品の輸送に当たっては、この粉粒体状薬品を空気や分子状水分の侵入を防止できる気密性及び耐蝕性に優れた容器に充填して行なわれるのが一般的である。
【０００５】
例えば、無水塩化アルミニウム、無水塩化鉄等のような無水塩素化合物については、このような性質を持つ物質であるため、これまでにその充填、保管、輸送のために多大な検討がなされてきており、例えば、分子状水分の侵入を遮断することができ、かつ、塩化水素ガスに対して優れた耐蝕性を有するプラスチックを用いる等の対策が採られてきた。
【０００６】
具体的には、このような物質を輸送するための容器として、例えば、肉厚鋼板製の数トン用鉄容器（鉄コンテナー）が知られており、この鉄コンテナーには、ユーザー毎に仕様が異なるが、充填口、排出口を備え、全体が頑丈にできており、充填口、排出口に備えた蓋の気密性に優れ、輸送時の不測の事故に対しても壊れ難く、内容物の排出の危険が少なくて安全上等の優位性や繰り返し使用ができることの利点がある。
【０００７】
しかしながら、近年の傾向として、製品の品質劣化や容器の腐食防止、輸送の安全性に加えて物流を大量に効率良く行うことが求められており、また、海外への輸出も大量に、かつ、排出作業時に手数が懸からない容器が求められている。このため、従来の鉄コンテナーでは、輸送重量に占める容器それ自体の重量が大きく、空の容器を回収するにも容積が大きいために効率が悪いという問題がある。また、国内における通常の製品輸送においても、客先の受入れ状況に合わせて容器の種類が多くて共用しずらく、しかも、鉄コンテナーの再使用に際しては、次に充填する製品の品質を保つために、内部の清掃、乾燥、湿度の高い空気の置換等の面倒な洗浄作業が必要になる。
【０００８】
更に加えて、鉄コンテナーを輸出の際の容器として用いることはあまり好まれていない。その理由は、上に述べたと同様の問題がより顕著になるからであり、例えば、空容器の回収に時間がかかるために容器の数を増加させて対処することが必要になり、これら多数の容器の管理が煩雑になることが予測され、それが原因でコストを上昇させることにもなるからである。
【０００９】
また、このような物質を輸送するため他の容器として、樹脂ライニングを施したドラム缶が知られており、このドラム缶は、容器の重量が比較的軽く、外部が金属の強度保護材料で形成されているほか、内部が樹脂ライニングされていて耐蝕性があり、鉄コンテナーの問題点を解消するものである。
【００１０】
そして、このようなドラム缶は、比較的軽量で耐蝕性や防湿性に優れており、しかも、国内外で共通容器として使用され、一般的に流通しているために、いわゆるワンウエイで使用され、このために回収の手間もかからないので物流面の利点があるほか、特に輸出用として好適に用いられている。
【００１１】
しかしながら、このドラム缶は、ワンウエイで使い捨てとなるために包装費用として割高になり、充填作業は１缶当たり約２００キログラムで、単位重量当たりの作業回数が鉄コンテナーの４〜５倍もかかり、使用時には専用の容器反転装置が必要となって、やはり作業性が低く、製品コストの上昇にも影響する。
【００１２】
更に、防湿性の高い包装材料として種々の多層樹脂フィルムが知られており、食品、携帯暖房具（使い捨てカイロ）等の数百グラム単位の少量の包装に利用されている。しかしながら、これらの多層樹脂フィルムによる包装には、フィルムの厚み、強度、柔軟性、製袋の可能性、更には、包装材料として要求される大きさのシートの入手が困難である等の実用上の諸課題があり、このために少量用に止まっており、防湿性能には優れているものの、トン単位の大型の包装・輸送への適用には困難であって、従来の輸送容器に相当する性能・機能の全てを満足するには至っていない。
【００１３】
また、吸湿性の高い数十ｋｇ単位の粉粒製品を包装するための防湿性に優れた中型の包装材料としては、ポリエチレン、ポリ塩化ビニル等の樹脂フィルムにガスバリアー機能を持つポリ塩化ビニリデン又はアルミ箔と紙とを貼り合わせた多層フィルムの紙袋が知られている（特開昭５５−１９５２２号、特開昭６２−７８０５９号、及び特開昭６３−１７８９４９号の各公報等）。しかしながら、アルミ箔を使用したこの種の紙袋は、ポリエチレン、ポリ塩化ビニル等の樹脂フィルムが塩化水素等を透過するため、アルミ箔が腐食されてかかる物質の包装材料としては使用できない。また、ポリ塩化ビニリデンを使用したこの種の紙袋は、防湿性は高いが、袋自体の強度が低いために２０〜３０ｋｇの包袋には使用できても、それ以上の重量、例えば１〜２トンの容器としては使用できないほか、排出時に袋を開封して投入する作業が人手によるため、吸湿してガスを発生するような物質には不向きである。
【００１４】
また、特に、無機塩素化合物及びその無水物等の吸湿性や腐蝕性の強い粉粒体状薬品においては、同時に種々の包装材料に対して強い高温反応性を示すものが存在し、例えば、無水塩化アルミニウムは、特に、４０℃を超えた場合に低密度ポリエチレン等の樹脂に対して強い反応性を示すため、充填物が無水塩化アルミニウムであって、包装材料である多層樹脂フィルムの最内層が低密度ポリエチレンである場合、無水塩化アルミニウムと低密度ポリエチレン等とが反応して品質を保つことができないという問題が起こる。
【００１５】
【発明が解決しようとする課題】
そこで、本発明者は、気密性及び耐薬品性に優れると共に耐高温反応性にも優れ、しかも、充填、排出等の取扱に便利なものであって大量輸送にも適した無機塩素化合物及びその無水物等の吸湿性や腐蝕性の強い粉粒体状薬品、その中でも高温反応性の強い粉粒体状薬品の輸送、保管及び搬送に用いられる輸送用包装材を開発すべく鋭意検討を行なった結果、この輸送用包装材をボトル型内袋とフレキシブルコンテナー外袋とからなる２重構造に形成すると共に、このボトル型内袋の内側には耐高温反応性に優れた内袋変質防止体を配設し、これによって気密性、耐薬品性、及び耐高温反応性を発現せしめると共に、フレキシブルコンテナー外袋で輸送、保管及び搬送等のハンドリングに耐える強度を付与することにより、目的を達成できることを見出し、本発明を完成した。
【００１６】
従って、本発明の目的は、気密性及び耐薬品性に優れると共に耐高温反応性にも優れ、無機塩素化合物及びその無水物等の吸湿性や腐蝕性の強い粉粒体状薬品、その中でも高温反応性の強い粉粒体状薬品の輸送、保管及び搬送に好適な輸送用包装材を提供することにある。
【００１７】
また、本発明の目的は、包装の単位当たりの充填量が大きく、容器の回収再利用が容易であり、かつ、製品の重量に対する容器の占める重量が小さく、大量輸送にも適した輸送用包装材を提供することにある。
【００１８】
【課題を解決するための手段】
すなわち、本発明は、防湿性、耐酸性及びガスバリアー性に優れた多層樹脂フィルムで形成されているボトル型内袋と、このボトル型内袋を収納すると共に強度に優れたフレキシブルコンテナー外袋とを組み合わせて構成された吸湿性、腐蝕性及び高温反応性の強い粉粒体状薬品用の輸送用包装材であって、上記ボトル型内袋が、ポリ塩化ビニリデン、高密度ポリエチレン又はポリエチレンビニルアルコールから選ばれた防湿性、耐酸性及びガスバリアー性に優れた樹脂フィルム層（Ｂ）を中心にして、この樹脂フィルム層（Ｂ）の内側及び外側に封緘用の樹脂フィルム層（Ｃ）を積層して形成され、上記ボトル型内袋の内側には、このボトル型内袋と別個に、かつ、略同じ大きさの形状を有し、内部に充填される充填物との間を仕切ってボトル型内袋の変質を防止するポリ塩化ビニル製の内袋変質防止用仕切り袋が重ね合わされている耐高温反応性に優れた輸送用包装材である。
【００１９】
本発明において、ボトル型内袋は、袋中央部から下部排出口にかけて内容物の全量が円滑に排出されるように徐々に絞り込まれた形状をしており、空気中の分子状水分による内容物の劣化や発生する塩化水素ガスの外部への拡散を防止するために、このボトル型内袋を形成する多層樹脂フィルムについては、少なくとも防湿性、耐酸性及びガスバリアー性に優れた樹脂フィルム層（Ｂ）を有することが必要である。そして、この樹脂フィルム層（Ｂ）としては、例えば、ポリ塩化ビニリデン、高密度ポリエチレン、ポリエチレンビニルアルコール、ポリプロピレン等が挙げられ、空気中の分子状水分の侵入を防ぐ防湿性の点でこれらのうち特にポリ塩化ビニリデン、高密度ポリエチレン、及びポリエチレンビニルアルコールが好ましい。
【００２０】
また、上記ボトル型内袋の内側には、このボトル型内袋がボトル型内袋に充填される充填物と反応することによって起こるボトル型内袋の変質を防止する目的で、ボトル型内袋と充填物との間を仕切る内袋変質防止体が設けられている。そして、この内袋変質防止体は、例え高温下であっても充填物と反応しない、あるいは、反応し難い耐高温反応性樹脂で形成されていることが必要である。また、この内袋変質防止体を形成するための樹脂としては、防湿性を完全にするという点からヒートシール等の封緘が可能であるものがよく、例えば、充填物が無水塩化アルミニウムである場合には好適にはポリ塩化ビニル等が挙げられる。
【００２１】
この内袋変質防止体は、ボトル型内袋の内側に設けられているものであり、ボトル型内袋とボトル型内袋に充填される充填物とが直接接することのないようにこれらの間を仕切ることができるものであれば、その形状や構成等は特に限定されるものではなく、例えば、内袋変質防止体がボトル型内袋を形成する多層樹脂フィルムの最内側に積層された樹脂フィルム層（Ａ）として構成されていたり、あるいは、内袋変質防止体が多層樹脂フィルム製のボトル型内袋とは個別に構成された内袋変質防止用の仕切り袋であって、この仕切り袋がボトル型内袋の内側に配設されるように重ね合わせて用いられているものであってもよい。
【００２２】
なお、内袋変質防止体が多層樹脂フィルム製のボトル型内袋とは個別に構成された内袋変質防止用の仕切り袋であって、この仕切り袋がボトル型内袋の内側に配設されるように重ね合わせて用いられる場合、仕切り袋の形状は、前述したボトル型内袋の形状と同様に、袋中央部から下部排出口にかけて内容物の全量が円滑に排出されるように徐々に絞り込まれた形状をしていることが望ましい。
【００２３】
次に、ボトル型内袋を形成する多層樹脂フィルムについては、防湿性、耐酸性及びガスバリアー性に優れた樹脂フィルム層（Ｂ）の外側面にヒートシール等の封緘を目的とした封緘用の樹脂フィルム層（Ｃ）を積層して構成したり、更に、封緘用の樹脂フィルム層（Ｃ）の外側面に多層樹脂フィルム全体の補強を目的として補強用の樹脂フィルム層（Ｄ）を貼り合わせて構成してもよい。
また、防湿性、耐酸性及びガスバリアー性に優れた樹脂フィルム層（Ｂ）の両面にヒートシール等の封緘を目的とした封緘用の樹脂フィルム層（Ｃ）を貼り合わせて構成したり、更に、外側に位置する封緘用の樹脂フィルム層（Ｃ）の外側面に補強用の樹脂フィルム層（Ｄ）を貼り合わせて構成してもよい。
【００２４】
なお、比較的吸湿性の低い内容物ですぐに使い切る少量用の包装材として用いる場合には封緘用の樹脂フィルム層（Ｃ）が存在しなくてもよいが、防湿性を完全にし、吸湿によるガスの発生防止を完全にするためには、封緘用の樹脂フィルム層（Ｃ）が存在するのが好ましく、更に破損防止のために補強用の樹脂フィルム層（Ｄ）を設けるのが望ましい。
【００２５】
このような封緘用の樹脂フィルム層（Ｃ）を形成するための樹脂としては、例えば、低密度ポリエチレン、ポリ塩化ビニル、ポリプロピレン等を挙げることができ、他のフィルムとの多層化の観点から低密度ポリエチレンが特に好ましい。また、上記補強用の樹脂フィルム層（Ｄ）を構成する樹脂としては、例えば、ＰＥＴ樹脂等が挙げられる。
【００２６】
なお、上記樹脂フィルム層（Ｂ）については防湿性の観点から好ましくは３０〜１００μｍの厚さであることが望ましく、また、封緘用の樹脂フィルム層（Ｃ）については簡単にヒートシールができる２０〜１００μｍの厚さであるのがよく、更に、補強用の樹脂フィルム層（Ｄ）については袋の強度と開閉し易さ等を考慮して適宜決定するのがよい。
【００２７】
また、本発明で用いるフレキシブルコンテナー外袋は、基本的には内容物が充填されているボトル型内袋を包み込んで内容物の重量を支えることができる形状を有し、その上面部や底面部にボトル型内袋の充填口部や排出口部が貫通する上面貫通孔や底面貫通孔を備え、また、運送や投入の際に使用する吊り具を有するもので、ポリプロピレン、ゴム等のような強靱な材質で形成され、上記ボトル型内袋を収納して輸送、ハンドリング、製品排出等の作業時にこのボトル型内袋を吊り上げる等の作業に耐えられるだけの強度を有するものであればよいが、好ましくは、上部が開放されていてここからボトル型内袋を容易に装入することができると共に、底部にはボトル型内袋の排出口用の開口部を有してこの開口部からボトル型内袋の排出口を底部下方に露出させ、この排出口からボトル型内袋内に充填された無機塩素化合物及びその無水物等の粉粒体状薬品を払い出すことができるものであるのがよい。
【００２８】
本発明の輸送用包装材は、例えば、内袋変質防止体がボトル型内袋を形成する多層樹脂フィルムの最内側に積層された樹脂フィルム層（Ａ）であり、かつ、ボトル型内袋を構成する多層樹脂フィルムが封緘用の樹脂フィルム層（Ｃ）を有する場合、先ず、このボトル型内袋の排出口部をヒートシールし、次いでボトル型内袋をフレキシブルコンテナー外袋内に組み込んでボトル型内袋の排出口部をフレキシブルコンテナー外袋の底面貫通孔より外部に突出させ、この状態で底面貫通孔の開口縁部に設けた細紐やベルベットファスナ等からなる括り着け具でこの底面貫通孔の開口縁部をボトル型内袋の排出口部に括り着け、これらボトル型内袋とフレキシブルコンテナー外袋との間を固定してからボトル型内袋の充填口部より内容物を充填し、この充填口部をヒートシールして密閉し、更に排出口部と同様に充填口部をフレキシブルコンテナー外袋の上面貫通孔より外部に突出させてその開口縁部に設けられた括り着け具でボトル型内袋とフレキシブルコンテナー外袋との間を固定する。このような構成にしておくことにより、内容物を払い出す際にボトル型内袋の排出口部のヒートシール部分を切断しても、括り着け具により排出口部から内容物が直ちに排出されることがなく、より安全に払い出し作業を行なうことができる。
【００２９】
また、本発明の輸送用包装材は、例えば、内袋変質防止体が多層樹脂フィルム製のボトル型内袋とは個別に構成された内袋変質防止用の仕切り袋であって、この仕切り袋がボトル型内袋の内側に配設されるように重ね合わせて用いられる場合であり、かつ、ボトル型内袋を構成する多層樹脂フィルムが封緘用の樹脂フィルム層（Ｃ）を有する場合、先ず、内袋変質防止用の仕切り袋と多層樹脂フィルム製のボトル型内袋とをそれぞれ個別に準備し、次いでこの仕切り袋の外側にボトル型内袋を被せて、仕切り袋がボトル型内袋の内側に配設されるように重ね合わせる。次いで、この仕切り袋が内側に配設されたボトル型内袋をフレキシブルコンテナー外袋内に装入し、仕切り袋及びボトル型内袋の排出口部をそれぞれヒートシールして閉じ、これらの排出口部をフレキシブルコンテナー外袋の底面貫通孔より外部に突出させ、後は上記の場合と同様に作業を行うことができる。
【００３０】
【発明の実施の形態】
次に、参考例及び実施例に基づいて、本発明の輸送用包装材を具体的に説明する。
【００３１】
参考例１
図１〜図４に示すように、防湿性、耐酸性及びガスバリアー性に優れた多層樹脂フィルムで形成されているボトル型内袋１と、このボトル型内袋１を収納するフレキシブルコンテナー外袋２とで構成される輸送用包装材Ｐを以下のように製造した。
【００３２】
図５に示すように、厚さ５０μｍのポリ塩化ビニルで形成された内袋変質防止層ａを内側にし、その外側に多層樹脂フィルムｈとして、厚さ１０μｍのポリ塩化ビニリデンで形成されたガスバリアー層ｂ、厚さ２０μｍの低密度ポリエチレンで形成された封緘層ｃ、及び厚さ１２μｍのＰＥＴ樹脂で形成された補強層ｄを積層し、これを用いて図２に示すボトル型内袋１を製造した。
【００３３】
上記ボトル型内袋１は、図２に示すように、略中央部に比較的大きな直径の筒状に形成された収納部３と、この収納部３の上部に上方に突出する筒状に形成された充填口部４と、上記収納部３の下部に下方に突出する筒状に形成された排出口部５とを備え、全体が均一な厚さの柔軟性を有する多層樹脂フィルムで形成されるようにした。
【００３４】
また、上記フレキシブルコンテナー外袋２については、図１、図３及び図４に示すように、内部に上記ボトル型内袋１の収納部３が略ピッタリと納まる大きさ（すなわち、収納部３の直径と略同じ大きさの内径）を有する内袋収容部６を備え、この内袋収容部６の上面部７には上記ボトル型内袋１の充填口部４が貫通する上面貫通孔８が形成され、また、この内袋収容部６の底面部９には上記ボトル型内袋１の排出口部５が貫通する底面貫通孔１０が形成され、上記ボトル型内袋１をこのフレキシブルコンテナー外袋２に収容し、ボトル型内袋１内に無機塩素化合物及びその無水物等の粉粒体状薬品を充填した際に、ボトル型内袋１の収納部３は内袋収容部６内にピッタリと納まり、ボトル型内袋１の充填口部４と排出口部５とはフレキシブルコンテナー外袋２の上面貫通孔８と底面貫通孔１０とからそれぞれ外部に突出して露出するようにした。
【００３５】
また、フレキシブルコンテナー外袋２の外面には輸送、ハンドリング、製品排出等の作業時に吊り上げる等の作業を行なうための吊りベルト１１ａ及び吊りロープ１１ｂからなる吊り具１１を設け、また、上面貫通孔８及び底面貫通孔１０にはその開口縁部にこれら上面貫通孔８及び底面貫通孔１０を貫通するボトル型内袋１の充填口部４及び排出口部５に括り着けられ、ボトル型内袋１とフレキシブルコンテナー外袋２との間を固定する括り着け具１２を設けた。
【００３６】
上記ボトル型内袋１を図３及び図４に示すフレキシブルコンテナー外袋２内に装入し、ボトル型内袋１の排出口部５の下端をヒートシールして閉じ、輸送用包装材Ｐを製造した。
【００３７】
このようにして得られた輸送用包装材Ｐのボトル型内袋１の充填口部４から無水塩化アルミニウム（９９．７％）１０００ｋｇを充填し、このボトル型内袋１内の空気を吸引して除去し、次いで充填口部４をヒートシールして密閉した。
【００３８】
その後、フレキシブルコンテナー外袋２に設けられた吊り具１１を用いてクレーンにより吊り上げ、パレットに乗せてホークリフトで屋内倉庫に搬送して密閉された屋内に３ヶ月間保管し、この保管時に定期的に周囲の塩化水素臭を調べると共に、３ヶ月後に排出口部５を切断して内部の無水塩化アルミニウムを他の容器に払い出し、その際の排出性、無水物純度を測定した。
【００３９】
結果は、吊り上げて搬送する運搬性に優れているほか、保管中塩化水素臭は全く感知されず、また、払い出しの際の排出性は、２〜３分で排出されて排出後のボトル型内袋１内には無水塩化アルミニウムが付着している程度でほとんどなくて極めて良好であり、純度も充填時と変わらず吸湿は認められなかった。
【００４０】
実施例１
図６に示すように、厚さ６０μｍの高密度ポリエチレンで形成されたガスバリアー層ｅを中心にその内側と外側にそれぞれ厚さ４０μｍの低密度ポリエチレンで形成された封緘層ｆを積層し、多層樹脂フィルムｉを調製した。また、内袋変質防止用樹脂フィルムｇとしては、厚さ１００μｍのポリ塩化ビニルフィルムを準備した。
【００４１】
上記多層樹脂フィルムｉを用いて、図７に示すように、参考例１と同様にしてボトル型内袋１を製造し、また、上記内袋変質防止用樹脂フィルムｇを用いて、上記ボトル型内袋１に略ピッタリと納まる形状、すなわち、ボトル型内袋１と略同じ大きさの形状を有した内袋変質防止用の仕切り袋１３ａを製造し、次いで、この仕切り袋１３ａの外側にボトル型内袋１を被せて、仕切り袋１３ａがボトル型内袋１の内側に配設されるように重ね合わせた。
【００４２】
また、フレキシブルコンテナー外袋２については、参考例１と同様に製造し、上記仕切り袋１３ａが内側に配設されたボトル型内袋１を図３及び図４に示すフレキシブルコンテナー外袋２内に装入し、ボトル型内袋１の排出口部５及び仕切り袋１３ａの排出口部５ａの下端をそれぞれヒートシールして閉じ、輸送用包装材Ｐを製造した。
【００４３】
この実施例１の輸送用包装材Ｐについても、上記参考例１と全く同様にしてテストを行なった結果、参考例１と同様の良好な結果が得られた。この無水塩化アルミニウムを触媒として使用する反応器への投入作業を行なった。２０００ｋｇを吊り上げて投入するのに要した時間は、１袋当たり２０分であって合計４０分であった。
【００４４】
比較例１
無水塩化アルミニウムを触媒として使用する反応器への投入作業を従来の２５０ｋｇ充填のドラム缶で行った。
ドラム缶の場合には、蓋をあけ、治具を取り付けた後に反応器の投入口まで吊り上げ、反転させて投入した。この際に要した投入時間は１本当たり２５分であり、２０００ｋｇ投入するのには合計３時間２０分を要した。
【００４５】
【発明の効果】
本発明の輸送用包装材は、無機塩素化合物及びその無水物等の吸湿性や腐蝕性の強い粉粒体状薬品、その中でも高温反応性の強い粉粒体状薬品の輸送、保管及び搬送等において、水分の透過が無く、内容物の分解や酸性の塩化水素ガス等の発生が無く、かつ、高温下においても反応することなく、しかも、包装材料の重量が軽く、外袋の回収利用が容易であり、安価で、かつ、輸送効率もよく、海外への輸出にも使用でき、更に、製品の充填・排出の作業にも効率がよい。
【図面の簡単な説明】
【図１】  図１は、本発明の実施形態に係る輸送用包装材の斜視説明図である。
【図２】  図２は、図１の輸送用包装材で用いられているボトル型内袋を示す斜視説明図である。
【図３】  図３は、図１の輸送用包装材で用いられているフレキシブルコンテナー外袋を示す平面説明図である。
【図４】  図４は、図３のフレキシブルコンテナー外袋を示す底面説明図である。
【図５】  図５は、本発明の参考例に係る輸送用包装材のボトル型内袋を形成する多層樹脂フィルム及び内袋変質防止体の断面説明図である。
【図６】  図６は、本発明の実施例に係る輸送用包装材のボトル型内袋を形成する多層樹脂フィルム及び内袋変質防止体の断面説明図である。
【図７】  図７は、実施例１の輸送用包装材で用いられているボトル型内袋を示す斜視説明図である。
【図１】
0003642970.tif 000002
【図２】
0003642970.tif 000003
【図３】
0003642970.tif 000004
【図４】
0003642970.tif 000005
【図５】
0003642970.tif 000006
【図６】
0003642970.tif 000007
【図７】
0003642970.tif 000008